(57)【特許請求の範囲】
【請求項１】
印刷用基材の上に箔が箔押しされ、その箔が存する領域と存しない領域とを含む印刷用基材の上にオフセット４色刷りにより印刷が施され、該箔の上に絵柄が形成されていることを特徴とする印刷物。
【請求項２】
前記箔と前記絵柄の間の所定位置に白ベタ層が設けられていることを特徴とする請求項１に記載の印刷物。
【請求項３】
前記箔は、パターン状のホログラム箔であることを特徴とする請求項１又は２に記載の印刷物。
【請求項４】
印刷用基材の上に箔を箔押しし、その箔が存する領域と存しない領域とを含む印刷用基材の上にオフセット４色刷りで印刷を施すことにより、該箔の上に絵柄を形成することを特徴とする印刷物の作製方法。
【請求項５】
印刷用基材の上に箔を箔押しし、該箔の所定位置に白ベタ層を印刷し、その箔が存する領域と存しない領域とを含む印刷用基材の上にオフセット４色刷りで印刷を施すことにより、該箔の上に絵柄を形成することを特徴とする印刷物の作製方法。
【請求項６】
前記箔は、パターン状のホログラム箔であることを特徴とする請求項４又は５に記載の印刷物の作製方法。
【発明の詳細な説明】
【０００１】
【発明の属する技術分野】
本発明は、表紙、口絵、広告頁等の印刷絵柄を目立たせたい部分に好適に使用される印刷物に関するものである。
【０００２】
【発明が解決しようとする課題】
従来、この種の印刷物として、基材用紙に印刷を施した後にその上からパターン状の金属箔やホログラム箔などを箔押ししたものが使用されている。この印刷物は箔押しを施した部分が反射によりキラキラするので、通常の印刷物より目立つものであるが、単にパターン状に箔押ししただけであるので、デザイン的には単純なものになる傾向がある。
【０００３】
本発明は、上記のような事情に鑑みてなされたものであり、その目的とするところは、箔を利用した印刷物であって、視覚的に新たなデザイン効果を発揮する印刷物を提供することにある。
【０００４】
【課題を解決するための手段】
上記目的を達成するため、本発明の印刷物は、印刷用基材の上に箔が箔押しされ、その箔が存する領域と存しない領域とを含む印刷用基材の上にオフセット４色刷りにより印刷が施され、該箔の上に絵柄が形成されていることを特徴としている。この構成において、前記箔と前記絵柄の間の所定位置に白ベタ層が設けられているようにするとさらに別の効果も発揮する。そして、前記箔は、パターン状のホログラム箔であると一層効果的である。
【０００５】
【発明の実施の形態】
以下、図面を参照して本発明の実施形態について説明する。
【０００６】
図１は本発明に係る印刷物を表紙に利用した本を示す正面図である。この本１は本文２とそれをくるんだ表紙３とからなっており、表紙３には２枚のカードが一部重なったパターン状のホログラム箔４が設けられ、その上にそれぞれキャラクター（図示の例では野球選手とプロレスラー）の絵柄５が印刷された形態になっている。
【０００７】
上記の表紙３は次のようにして作製される。まず、図２（ａ）に示すように紙からなる印刷基材６の上にパターン状のホログラム箔４を箔押しする。具体的には、公知の箔押し機を使用して、転写紙から基材用紙６の上にホログラム箔４を加熱転写により接着する。次いで、ホログラム箔４を含む印刷基材６の上にオフセット４色刷りで表紙全体の印刷を行い、その際にホログラム箔４の上に図２（ｂ）に示す如くキャラクターの絵柄５を形成する。そしてこれを２つ折りし、表紙として製本工程に供する。なお、印刷インキはホログラム箔４の上では乾燥が遅くなるので、速く乾燥させたい場合はＵＶインキを使用すればよい。
【０００８】
このように形成された表紙３は、箔押しされたホログラム箔４の上にオフセット印刷が重なり透過して見えるので、カードとキャラクターが光った状態で浮き上がって見える。
【０００９】
本発明の別の形態として、ホログラム箔と絵柄の間の所定位置に白ベタ層を設けることができる。このタイプでは、まず図３（ａ）に示すように印刷基材６の上に前記したのと同様にしてパターン状のホログラム箔４を箔押しする。次に、図３（ｂ）に示すように、キャラクターに対応する部分にのみオフセット印刷により白ベタ層７を印刷する。しかる後、図３（ｃ）に示すようにホログラム箔４及び白ベタ層７を含む印刷基材６の上にオフセット４色刷りで表紙全体の印刷を行い、白ベタ層７の上にはキャラクターの絵柄５を形成する。そしてこれを２つ折りし表紙として製本工程に供する。
【００１０】
このホログラム箔と絵柄の間に白ベタ層７を設けた表紙は、カードにおけるキャラクターの背景にホログラム箔４が透過して見えるので、浮き上がって見えるカードの中にくっきりとキャラクターが見えることになる。
【００１１】
白ベタ層を設けるタイプの変形例を図４に示す。この場合は、まず図４（ａ）に示すように印刷基材６の上に前記したのと同様にしてパターン状のホログラム箔４を箔押しした後、図４（ｂ）に示すように周囲にホログラム箔４を残した状態で白ベタ層７を印刷する。このように枠状にホログラム箔４を残した状態としてから、図４（ｃ）に示すようにホログラム箔４及び白ベタ層７を含む印刷基材６の上にオフセット４色刷りで表紙全体の印刷を行い、白ベタ層７の上にはキャラクターの絵柄５と背景を形成する。そしてこれを２つ折りし表紙として製本工程に供する。
【００１２】
この例の表紙では、キャラクターと背景からなる絵柄がホログラム箔４の枠で囲まれた形態となり、絵柄のバックに枠状のホログラム箔４が透過して見えるので、浮き上がって見える枠の中に絵柄が強調された状態で見える。
【００１３】
なお、上記の説明では箔としてホログラム箔を使用した例を挙げたが、その他、金箔、銀箔、色箔、擬金箔等の箔を使用することもできる。また、絵柄としてキャラクターを挙げたが、本発明で形成する絵柄に限定はない。
【００１４】
また、用途としては、表紙の他に口絵、広告頁等の本の一部を始めとして、パンフレット、チラシ、ポスター、カレンダー、ＣＤジャケット、ビデオジャケット、オーディオテープジャケット、ＰＯＰ物品等にも利用することができる。この際、用途やデザインに応じ、印刷用基材として紙の他に樹脂シートを使用することもできる。
【００１５】
【発明の効果】
以上説明したように、本発明の印刷物は、印刷用基材の上に箔が箔押しされ、その箔が存する領域と存しない領域とを含む印刷用基材の上にオフセット印刷が施され、該箔の上に絵柄が形成されている構成としたことにより、箔押しされた箔の上にオフセット印刷が重なり透過して見えるので、パターン状の箔とそこに形成された絵柄が浮き上がって見えることから、視覚的に新たなデザイン効果を発揮する。したがって、新規なアイキャッチ効果があり、他の印刷物との差別化を図ることができる。
【００１６】
また、箔と絵柄の間の所定位置に白ベタ層を設けることにより、絵柄のバックに箔が透過して見えるので、浮き上がって見える箔の中にくっきりと絵柄が見えるという別の効果を奏することができる。
【図面の簡単な説明】
【図１】本発明に係る印刷物を表紙に利用した本を示す正面図である。
【図２】図１に示す印刷物の作製手順を示す説明図である。
【図３】図１に示す印刷物の別の例の作製手順を示す説明図である。
【図４】図３に示す印刷物の変形例の作製手順を示す説明図である。
【符号の説明】
１  本
２  本文
３  表紙
４  ホログラム箔
５  絵柄
６  印刷基材
７  白ベタ層
【図１】
0004266398.tif 000002
【図２】
0004266398.tif 000003
【図３】
0004266398.tif 000004
【図４】
0004266398.tif 000005